【手続補正書】
【提出日】平成20年1月9日(2008.1.9)
【手続補正１】
【補正対象書類名】特許請求の範囲
【補正対象項目名】全文
【補正方法】変更
【補正の内容】
【特許請求の範囲】
【請求項１】
光源手段と、前記光源手段から出射した光束の状態を所定の状態に変換する入射光学系と、前記入射光学系にて変換された光束を反射偏向する偏向手段と、前記偏向手段の偏向面にて反射偏向された光束を被走査面上に結像させる結像光学系と、を含む光走査装置を複数有するカラー画像形成装置の調整方法であって、
前記複数の光走査装置の各光走査装置は、前記偏向手段の偏向面に入射する光束の主走査方向の幅が前記偏向面の主走査方向の幅よりも広い状態で前記偏向手段の偏向面に入射し、かつ、前記光源手段から出射した光束が前記結像光学系を通過した後に前記偏向面に入射しており、
前記複数の光走査装置の各光走査装置において、前記結像光学系を結像位置補正光学系と置き換えた状態にて、前記光走査装置内の入射光学系の少なくとも一部の光学素子を前記入射光学系の光軸方向に変位させて、前記被走査面上における光束のピント調整を行う第１の工程と、
前記第１の工程の後に、前記結像位置補正光学系を前記結像光学系に戻した状態で各光走査装置内の結像光学系の少なくとも一部の光学素子を変位させて各光走査装置内のレジストレーションの調整を行う第２の工程と、を有することを特徴とするカラー画像形成装置の調整方法。
【請求項２】
前記第１の工程は、前記入射光学系の一部の光学素子を前記入射光学系の光軸と直交方向に移動させて、前記偏向手段の偏向面に入射する光束の副走査断面内での位置を調整する工程を有することを特徴とする請求項１に記載のカラー画像形成装置の調整方法。
【請求項３】
前記入射光学系は、前記光源手段からの光束をカップリングする第１の光学系と、主走査断面内にパワーを有する第２の光学系と、主走査断面内と副走査断面内でパワーの異なるアナモフィックレンズとを有しており、
前記第１の工程は、前記第１の光学系を前記入射光学系の光軸方向に変位させて被走査面上における光束の副走査断面内の結像位置を調整する工程と、前記第２の光学系を前記入射光学系の光軸方向に変位させて前記被走査面上における光束の主走査断面内の結像位置を調整する工程とを含んでいることを特徴とする請求項１又は２に記載のカラー画像形成装置の調整方法。
【請求項４】
前記入射光学系は、主走査断面内のFナンバーをfno(主)、副走査断面内のFナンバーをfno(副)とするとき、
0＜fno(主)／fno(副)＜5.0
なる条件を満足することを特徴とする請求項１乃至３の何れか一項に記載のカラー画像形成装置の調整方法。
【手続補正２】
【補正対象書類名】明細書
【補正対象項目名】発明の名称
【補正方法】変更
【補正の内容】
【発明の名称】カラー画像形成装置の調整方法
【手続補正３】
【補正対象書類名】明細書
【補正対象項目名】０００１
【補正方法】変更
【補正の内容】
【０００１】
本発明はカラー画像形成装置の調整方法に関し、特に光源手段から光変調され出射した光束を偏向手段としてのポリゴンミラー(回転多面鏡)により反射偏向させ、結像光学系を介して被走査面上を光走査して画像情報を記録するようにした、例えば電子写真プロセスを有するレーザービームプリンタやデジタル複写機、マルチファンクションプリンタ（多機能プリンタ）等の画像形成装置に好適なものである。
【手続補正４】
【補正対象書類名】明細書
【補正対象項目名】００２２
【補正方法】変更
【補正の内容】
【００２２】
本発明は被走査面上における光束の結像位置及び照射位置の調整を容易に精度よく行うと共に高精度な光走査を可能としたカラー画像形成装置の調整方法の提供を目的とする。
【手続補正５】
【補正対象書類名】明細書
【補正対象項目名】００２３
【補正方法】変更
【補正の内容】
【００２３】
請求項１の発明のカラー画像形成装置の調整方法は、
光源手段と、前記光源手段から出射した光束の状態を所定の状態に変換する入射光学系と、前記入射光学系にて変換された光束を反射偏向する偏向手段と、前記偏向手段の偏向面にて反射偏向された光束を被走査面上に結像させる結像光学系と、を含む光走査装置を複数有するカラー画像形成装置の調整方法であって、
前記複数の光走査装置の各光走査装置は、前記偏向手段の偏向面に入射する光束の主走査方向の幅が前記偏向面の主走査方向の幅よりも広い状態で前記偏向手段の偏向面に入射し、かつ、前記光源手段から出射した光束が前記結像光学系を通過した後に前記偏向面に入射しており、
前記複数の光走査装置の各光走査装置において、前記結像光学系を結像位置補正光学系と置き換えた状態にて、前記光走査装置内の入射光学系の少なくとも一部の光学素子を前記入射光学系の光軸方向に変位させて、前記被走査面上における光束のピント調整を行う第１の工程と、
前記第１の工程の後に、前記結像位置補正光学系を前記結像光学系に戻した状態で各光走査装置内の結像光学系の少なくとも一部の光学素子を変位させて各光走査装置内のレジストレーションの調整を行う第２の工程と、を有することを特徴としている。
【手続補正６】
【補正対象書類名】明細書
【補正対象項目名】００２４
【補正方法】変更
【補正の内容】
【００２４】
請求項２の発明は請求項１の発明において、
前記第１の工程は、前記入射光学系の一部の光学素子を前記入射光学系の光軸と直交方向に移動させて、前記偏向手段の偏向面に入射する光束の副走査断面内での位置を調整する工程を有することを特徴としている。
【手続補正７】
【補正対象書類名】明細書
【補正対象項目名】００２５
【補正方法】変更
【補正の内容】
【００２５】
請求項３の発明は請求項１又は２の発明において、
前記入射光学系は、前記光源手段からの光束をカップリングする第１の光学系と、主走査断面内にパワーを有する第２の光学系と、主走査断面内と副走査断面内でパワーの異なるアナモフィックレンズとを有しており、
前記第１の工程は、前記第１の光学系を前記入射光学系の光軸方向に変位させて被走査面上における光束の副走査断面内の結像位置を調整する工程と、前記第２の光学系を前記入射光学系の光軸方向に変位させて前記被走査面上における光束の主走査断面内の結像位置を調整する工程とを含んでいることを特徴としている。
【手続補正８】
【補正対象書類名】明細書
【補正対象項目名】００２６
【補正方法】変更
【補正の内容】
【００２６】
請求項４の発明は請求項１乃至３のいずれか１項の発明において、
前記入射光学系は、主走査断面内のFナンバーをfno(主)、副走査断面内のFナンバーをfno(副)とするとき、
0＜fno(主)／fno(副)＜5.0
なる条件を満足することを特徴としている。
【手続補正９】
【補正対象書類名】明細書
【補正対象項目名】００２７
【補正方法】削除
【補正の内容】
【手続補正１０】
【補正対象書類名】明細書
【補正対象項目名】００２８
【補正方法】削除
【補正の内容】
【手続補正１１】
【補正対象書類名】明細書
【補正対象項目名】００２９
【補正方法】削除
【補正の内容】
【手続補正１２】
【補正対象書類名】明細書
【補正対象項目名】００３０
【補正方法】削除
【補正の内容】
【手続補正１３】
【補正対象書類名】明細書
【補正対象項目名】００３１
【補正方法】削除
【補正の内容】
【手続補正１４】
【補正対象書類名】明細書
【補正対象項目名】００３２
【補正方法】変更
【補正の内容】
【００３２】
本発明によれば被走査面上の結像位置の調整をする第１の工程（調整手段）と、各光走査装置内のレジストレーションの調整をする第２の工程（調整手段）と、を有することにより、被走査面上における光束の結像位置及び照射位置の調整を容易に精度よく行うことができ、また各光走査装置における走査線の傾きずれや走査線の曲がり等による各色の色ずれを低減することができるカラー画像形成装置の調整方法を達成することができる。
【手続補正１５】
【補正対象書類名】明細書
【補正対象項目名】００３４
【補正方法】変更
【補正の内容】
【００３４】
図１は本発明の実施例１のカラー画像形成装置の調整方法を用いたカラー画像形成装置の要部概略図である。本実施例は、後述する光走査装置を４個並べ各々並行して像担持体である感光ドラム面上に各色光に対応する画像情報を記録するタンデムタイプのカラー画像形成装置である。
【手続補正１６】
【補正対象書類名】明細書
【補正対象項目名】００４０
【補正方法】変更
【補正の内容】
【００４０】
図２は図１に示した本発明の光走査装置を複数有するカラー画像形成装置に用いられる複数の光走査装置のうち１つを代表して示した主走査方向の要部断面図（主走査断面図）である。尚、他の光走査装置に関しては図２に示す光走査装置と、その構成及び光学的作用は同一である。
【手続補正１７】
【補正対象書類名】明細書
【補正対象項目名】００６５
【補正方法】変更
【補正の内容】
【００６５】
同図において１５は開口絞りの位置であり、図２では偏向面５ａの位置に相当する。開口絞り１５の開口部１５ａの主走査方向の長さは偏向面５ａの主走査方向の長さと同じである。１３は結像位置補正光学系であり、図２の結像光学系６に相当し、開口絞り１５を通過した光束を後述する光学センサ１４に結像させている。光学センサ１４は感光ドラム面８と等価な位置に配置されており、焦点ずれを検出する焦点ずれ検出手段、もしくは照射位置を検出する照射位置検出手段の一要素を兼ね備えている。
【手続補正１８】
【補正対象書類名】明細書
【補正対象項目名】００６６
【補正方法】変更
【補正の内容】
【００６６】
本実施例においては焦点ずれ検出手段１４からの信号に基づいて、主走査断面内のピント調整に関してはシリンドリカルレンズ７を第２の駆動手段７ａにより図中矢印の如く光軸上所定方向へ移動させて行い、次いで副走査断面内のピント調整に関しては平凸レンズ３を第１の駆動手段３ａにより図中矢印の如く光軸上所定方向へ移動させて行っている。
【手続補正１９】
【補正対象書類名】明細書
【補正対象項目名】００６８
【補正方法】変更
【補正の内容】
【００６８】
さらに照射位置の調整に関しては、照射位置検出手段１４からの信号に基づいて、平凸レンズ３を光軸に対して主走査方向(直交方向)に移動させ、入射光束がポリゴンミラーの偏向面に対して略中央から入射するように位置調整を行い、主走査方向のスポットが均一になるようにしている。また照射位置検出手段１４からの信号に基づいて、平凸レンズ３を光軸に対して副走査方向に移動させることにより、副走査断面内における斜め入射角度θおよびポリゴンミラーへの入射高さの調整を行っている。
【手続補正２０】
【補正対象書類名】明細書
【補正対象項目名】００９５
【補正方法】変更
【補正の内容】
【００９５】
【図１】本発明の実施例１のカラー画像形成装置の調整方法を用いたカラー画像形成装置の要部概略図
【図２】図１に示した光走査装置の主走査断面図
【図３】本発明の実施例１におけるピント調整を示す光学系の主走査断面図
【図４】オーバーフィルド光学系における光量低下の概念図
【図５】本発明の画像形成装置の実施例を示す副走査断面図
【図６】従来の光走査装置の要部概略図
【図７】オーバーフィルド光学系を用いた従来の光走査装置の主走査断面図
【図８】オーバーフィルド光学系を用いた従来の光走査装置の副走査断面図
【図９】従来のカラー画像形成装置の要部概略図
【手続補正２１】
【補正対象書類名】明細書
【補正対象項目名】００９６
【補正方法】変更
【補正の内容】
【００９６】
１ 光源手段（半導体レーザー・半導体レーザーアレイ）
２ 開口絞り
３ 集光レンズ（コリメーターレンズ）
４ シリンドリカルレンズ
５ 偏向手段（ポリゴンミラー）
６ 結像光学系（ｆθレンズ）
７ 調整レンズ
８ 被走査面（感光体ドラム）
１０ ＢＤセンサ
６１、６２、６３、６４ 光走査装置
２１、２２、２３、２４ 像担持体（感光ドラム）
３１、３２、３３、３４ 現像器
４１、４２、４３、４４ 光ビーム
５１ 搬送ベルト
５２ 外部機器
５３ プリンタコントローラ
６０ カラー画像形成装置
１００ 光走査装置
１０１ 感光ドラム
１０２ 帯電ローラ
１０３ 光ビーム
１０４ 画像形成装置
１０７ 現像装置
１０８ 転写ローラ
１０９ 用紙カセット
１１０ 給紙ローラ
１１１ プリンタコントローラ
１１２ 転写材（用紙）
１１３ 定着ローラ
１１４ 加圧ローラ
１１５ モータ
１１６ 排紙ローラ
１１７ 外部機器